(57)【要約】【課題】サイド補強ゴムにおけるクラックの発生を抑制し、ランフラット耐久性を向上させる。【解決手段】ゴムストリップを周方向に渦巻き状に巻回したストリップ積層体からなるサイド補強ゴム１０は、カーカス側の内ゴム層１１と、そのタイヤ内腔側の表面ゴム層１２とから形成される。前記表面ゴム層１２をなす外のゴムストリップＰｏは、巾Ｗ１が５〜５０ｍｍ、かつ内表面Ｓに現れる露出巾Ｗａが前記巾Ｗ１の５０％〜８０％の範囲とし、しかもその横断面は、両端部分が端に向かって先細状となる略菱形形状とする。前記外のゴムストリップＰｏのエッジのうちで、前記内表面Ｓに現れる露出側端エッジＥ１と、他方の端エッジＥ２とを結ぶ対角線Ｘは、サイド補強ゴム１０の内表面プロファイルＹにおける接線Ｋに対する角度θを３０°以下とした。【選択図】図４
2008162137.tif 000002
【特許請求の範囲】
【請求項１】
トレッド部からサイドウォール部を経てビード部のビードコアに至るカーカスと、該カーカスの内側に配されかつ内表面がタイヤ内腔面の一部をなす断面略三日月状のサイド補強ゴムとを有する未加硫の生タイヤであって、
前記サイド補強ゴムは、カーカス側の内ゴム層と、そのタイヤ内腔側に重置されかつ前記サイド補強ゴムの全内表面の少なくとも８０％以上の面をなす表面ゴム層とからなり、かつ該内ゴム層と表面ゴム層とは、テープ状のゴムストリップを周方向に渦巻き状に巻回したストリップ積層体から形成されるとともに、
前記表面ゴム層をなす外のゴムストリップは、巾Ｗ１が５〜５０ｍｍ、かつ前記内表面に現れる露出巾Ｗａが前記巾Ｗ１の５０％〜８０％の範囲とし、しかもこの外のゴムストリップの横断面は、両端部分が端に向かって厚さを減じて先細状となる略菱形形状とするとともに、
前記外のゴムストリップのエッジのうちで、前記内表面に現れる露出側端エッジと、他方の端エッジとを結ぶ対角線は、前記サイド補強ゴムの内表面プロファイルにおける前記露出側端エッジに相当する位置での前記内表面プロファイルの接線に対する角度θを３０°以下としたことを特徴とする生タイヤ。
【請求項２】
前記露出巾Ｗａは、５．０ｍｍ以上であることを特徴とする請求項１記載の生タイヤ。    
【請求項３】
前記外のゴムストリップは、最大厚さが０．３〜５．０ｍｍであることを特徴とする請求項１又は２記載の生タイヤ。
【請求項４】
前記角度θは、５°以下であることを特徴とする請求項１〜３の何れかに記載の生タイヤ。
【請求項５】
前記外のゴムストリップの前記表面ゴム層における巻回数ｎは、次式を充足することを特徴とする請求項１〜４の何れかに記載の生タイヤ。
ｎ≦２．０×（Ｗ２／Ｗ１）  −−−−（１）
（但し、Ｗ２は、前記表面ゴム層の前記内表面に沿った長さである）
【請求項６】
前記外のゴムストリップ同士が接する界面と、この界面が前記内表面に現れる前記露出側端エッジからタイヤ内側に１．０ｍｍの距離を隔てて前記内表面プロファイルに平行な仮想基準線とが交わる交点と、前記露出側端エッジとを結ぶ直線は、前記内表面プロファイルにおける前記露出側端エッジに相当する位置での前記内表面プロファイルの接線に対する角度αを３０°以下としたことを特徴とする請求項１〜５の何れかに記載の生タイヤ。
【請求項７】
前記界面は、前記直線を越えて前記角度αが増加する向きに突出しないことを特徴とする請求項６に記載の生タイヤ。
【発明の詳細な説明】
【技術分野】
【０００１】
本発明は、ゴムストリップを周方向に巻回したストリップ積層体によってサイド補強ゴムを形成したランフラットタイヤ用の生タイヤに関する。
【背景技術】
【０００２】
空気入りタイヤでは、近年、トレッドゴム、サイドウォールゴム、インナーライナゴムなどの各種のゴム部材を、テープ状の未加硫のゴムストリップを周方向に巻き付けたストリップ積層体によって形成することが提案されている。この巻き付け方式では、大型のゴム押出機の使用がなくなるため、工場設備を小型化でき、しかも従来、製造するタイヤの種類替え毎に必要であったゴム押出機のノズル交換および調整作業等が不要となるなど、特に多品種少量生産の傾向が強いタイヤにおいて大きなメリットを発揮しうる。
【０００３】
他方、空気入りタイヤでは、パンク等によって充填空気が抜けた場合にも、比較的高速度で一定の距離を安全に走行しうるタイヤとして、サイドウォール部のタイヤ内腔側に断面略三日月状のサイド補強ゴムを設けた所謂自己支持型のランフラットタイヤが知られている。このランフラットタイヤは、充填空気が抜けた場合、このサイド補強ゴムがタイヤの荷重を支え、タイヤの縦撓みが抑制される。
【発明の開示】
【発明が解決しようとする課題】
【０００４】
そして、このようなランフラットタイヤにおいても前述の巻き付け方式の利点を活かすため、前記サイド補強ゴムを、ストリップ積層体によって形成することが望まれている。しかし、ストリップ積層体によって形成されたゴム部材は、加硫成形後も隣り合うゴムストリップ間の界面が強度的な弱所となってゴム部材の表面に露出する。その結果、特にサイド補強ゴムの如く、ランフラット走行時に大きな歪み受けるゴム部材では、ランフラット走行時に前記界面の露出点を起点としてクラックが早期に発生するなど、ランフラット性能が発揮されなくなるという問題が生じる。
【０００５】
なお特許文献１には、ゴム部材を内ゴム層と表面ゴム層とで形成し、表面における露出点の形成数を減じることにより、クラックの発生を抑制する技術が提案されている。しかしこの二層構造を前記サイド補強ゴムに採用した場合、空気圧が適正に充填された通常走行においては特に問題ないものの、ランフラット走行時には、歪みが過度に高まるためクラックを抑制しえず、ランフラット性能を充分に発揮することはできない。
【特許文献１】特開２００５−２２５２７８号公報
【０００６】
そこで本発明は、表面ゴム層をなすゴムストリップの横断面を略菱形形状とし、この横断面の長軸側の対角線が、サイド補強ゴムの内表面プロファイルの傾きに近づくようにゴムストリップを配することを基本として、充填空気が抜けた過酷な条件下で走行した場合にも、クラックの発生を抑制でき、高いランフラット性能を揮しうる生タイヤを提供することを目的としている。
【課題を解決するための手段】
【０００７】
前記目的を達成するために、本願請求項１の発明は、トレッド部からサイドウォール部を経てビード部のビードコアに至るカーカスと、該カーカスの内側に配されかつ内表面がタイヤ内腔面の一部をなす断面略三日月状のサイド補強ゴムとを有する未加硫の生タイヤであって、
前記サイド補強ゴムは、カーカス側の内ゴム層と、そのタイヤ内腔側に重置されかつ前記サイド補強ゴムの全内表面の少なくとも８０％以上の面をなす表面ゴム層とからなり、かつ該内ゴム層と表面ゴム層とは、テープ状のゴムストリップを周方向に渦巻き状に巻回したストリップ積層体から形成されるとともに、
前記表面ゴム層をなす外のゴムストリップは、巾Ｗ１が５〜５０ｍｍ、かつ前記内表面に現れる露出巾Ｗａが前記巾Ｗ１の５０％〜・・・％の範囲とし、しかもこの外のゴムストリップの横断面は、両端部分が端に向かって厚さを減じて先細状となる略菱形形状とするとともに、
前記外のゴムストリップのエッジのうちで、前記内表面に現れる露出側端エッジと、他方の端エッジとを結ぶ対角線は、前記サイド補強ゴムの内表面プロファイルにおける前記露出側端エッジに相当する位置での前記内表面プロファイルの接線に対する角度θを３０°以下としたことを特徴としている。
【０００８】
又請求項２の発明では、前記露出巾Ｗａは、５．０ｍｍ以上であることを特徴としている。
又請求項３の発明では、前記外のゴムストリップは、最大厚さが０．３〜５．０ｍｍであることを特徴としている。
又請求項４の発明では、前記角度θは、５°以下であることを特徴としている。
又請求項５の発明では、前記外のゴムストリップの前記表面ゴム層における巻回数ｎは、次式を充足することを特徴としている。但し、Ｗ２は、前記表面ゴム層の前記内表面に沿った長さである。
ｎ≦２．０×（Ｗ２／Ｗ１）  −−−−（１）
又請求項６の発明では、前記外のゴムストリップ同士が接する界面と、この界面が前記内表面に現れる前記露出側端エッジからタイヤ内側に１．０ｍｍの距離を隔てて前記内表面プロファイルに平行な仮想基準線とが交わる交点と、前記露出側端エッジとを結ぶ直線は、前記内表面プロファイルにおける前記露出側端エッジに相当する位置での前記内表面プロファイルの接線に対する角度αを３０°以下としたことを特徴としている。
又請求項７の発明では、前記界面は、前記直線を越えて前記角度αが増加する向きに突出しないことを特徴としている。
【発明の効果】
【０００９】
本発明は叙上の如く、ストリップ積層体によってサイド補強ゴムを形成した生タイヤにおいて、サイド補強ゴムの全内表面の８０％以上の面を表面ゴム層で形成している。そして、この表面ゴム層をなす外のゴムストリップが内表面に現れる露出巾Ｗａを、外のゴムストリップの巾Ｗ１の５０％以上とし、ゴムストリップ間の界面が前記内表面で露出する露出点の形成数を減じている。
【００１０】
又前記外のゴムストリップの横断面を略菱形形状とするとともに、この横断面のエッジのうちで、前記内表面に現れる露出側端エッジと、他方の端エッジとを結ぶ対角線が、前記サイド補強ゴムの内表面プロファイルの接線となす角度θを３０°以下としている。このように前記対角線が、前記内表面プロファイルの傾きに近づくようにゴムストリップを寝かせて配することにより、外のゴムストリップ間の界面も内表面プロファイルの傾きに近づく。その結果、表面ゴム層を薄く形成しながらも、ストリップ間の接合長さである界面長さを長く確保することができ、しかもサイド補強ゴムが曲げ変形する際に、前記界面に作用する剪断応力を減じることができる。従って、前述の露出点の形成数の減少と相俟って、露出点を起点として前記界面が剥離するクラック損傷を、効果的に抑制することができ、優れたランフラット性能を揮しうる。
【００１１】
またトリップ積層体では、その表面が凹凸をなすため、加硫成形する際、前記露出点の位置には、加硫用ブラダーとの間に断面略三角状の隙間が形成される。この隙間は、加硫成形時のゴム流れによってある程度埋まるが、隙間が大きいと微少な傷或いは凹みとなって残存し、外観不良、或いはクラックの起点をなす。しかし、本発明では、前記加硫用ブラダーとの間の隙間も減じることができ、傷や凹みの発生を抑え、クラックの発生をよりいっそう抑制するとともに、外観不良を改善しうる。
【発明を実施するための最良の形態】
【００１２】
以下、本発明の実施の一形態を、図示例とともに説明する。図１は、本発明がランフラットタイヤ用の生タイヤである場合を示す断面図である。
【００１３】
図１において、生タイヤ１は、トレッド部２からサイドウォール部３をへてビード部４のビードコア５に至るカーカス６と、このカーカス６の内側に配されかつ内表面Ｓがタイヤ内腔面ＴＳの一部をなす断面略三日月状のサイド補強ゴム１０とを具える。
【００１４】
前記カーカス６は、カーカスコードをタイヤ周方向に対して例えば７０゜〜９０゜の角度で配列した１枚以上、本例では１枚のカーカスプライ６Ａからなり、このカーカスプライ６Ａは、前記ビードコア５、５間を跨るプライ本体部６ａの両側に、該ビードコア５の廻りをタイヤ軸方向内側から外側に折り返されて係止されるプライ折返し部６ｂを一連に具える。なお前記プライ本体部６ａとプライ折返し部６ｂとの間には、ビードコア５から半径方向外方に向かってのびるビード補強用のビードエーペックスゴム８が配置される。本例では、前記プライ折返し部６ｂは、前記ビードエーペックスゴム８の外端をタイヤ半径方向外側に超えてのび、その外端部６ｂｅは、前記プライ本体部６ａとベルト層７との間に挟まれて終端する。これによりカーカスプライ６Ａを１枚としながらも、サイドウォール部３を効果的に補強しうる。
【００１５】
又カーカス６の半径方向外側かつトレッド部２の内部には、ベルト層７が配される。該ベルト層７は、ベルトコードをタイヤ周方向に対して例えば１０〜３５゜で配列した複数枚、本例では２枚のベルトプライ７Ａ、７Ｂからなり、各ベルトコードがプライ間相互で交差することにより、ベルト剛性を高め、トレッド部２をタガ効果を有して強固に補強する。
【００１６】
又カーカス６の内側には、インナーライナゴム９を介して、前記断面略三日月状のサイド補強ゴム１０が配される。前記インナーライナゴム９には、タイヤ内腔ｉ内の空気を保持するため、ガスバリア性を有する例えばブチル系ゴムが採用されるとともに、前記タイヤ内腔ｉを囲むように前記ビード部４、４間を連続的に延在する。なお「ブチル系ゴム」とは、ブチルゴム及び／又はその誘導体を含有したゴムであり、前記ブチルゴムの誘導体として、ブチルゴムに塩素、臭素等を反応させたハロゲン化ブチルゴムが挙げられる。
【００１７】
次に、前記サイド補強ゴム１０は、その中央部分からタイヤ半径方向の内端１０ｉ及び外端１０ｏに向かって厚さを漸減させた断面略三日月状で形成される。なお前記サイド補強ゴム１０の内端１０ｉはビードエーペックスゴム８の外端よりもタイヤ半径方向内側かつビードコア５よりもタイヤ半径方向外側に位置するのが望ましい。これにより、サイド補強ゴム１０とビードエーペックスゴム８との間で剛性の低い箇所を無くすことができ、サイドウォール部３からビード部４にかけての曲げ剛性をバランス良く向上させ得る。
【００１８】
又前記サイド補強ゴム１０の外端１０ｏは、トレッド部２の内側に至って延在し、ベルト層７の外端よりもタイヤ軸方向内側の位置で終端するのが望ましい。これにより、バットレス部等において剛性が著しく低い箇所を無くすことができる。
【００１９】
そして本発明では、サイド補強ゴム１０は、カーカス側の内ゴム層１１と、そのタイヤ内腔側に重置されかつ前記サイド補強ゴム１０の全内表面Ｓの少なくとも８０％以上の面をなす表面ゴム層１２とからなる２層構造で構成される。又この内ゴム層１１と表面ゴム層１２とは、それぞれテープ状のゴムストリップＰを周方向に渦巻き状に巻回したストリップ積層体から形成される。
【００２０】
ここで、図２に示すように、前記内ゴム層１１は、前記サイド補強ゴム１０の主要部をなすものであり、従ってこの内ゴム層１１は、サイド補強ゴム１０に要求される略三日月状の断面形状に近いプロファイル形状で形成される。そのために、内ゴム層１１では、例えば巾Ｗ１が５〜１５ｍｍ、厚さＴ１が１．０〜２．０ｍｍの略矩形状断面を有する内のゴムストリップＰｉを用い、その重り巾ＯＬを適宜変化させながら、内のゴムストリップＰｉを巻回させている。このとき前記重り巾ＯＬは、前記巾Ｗ１の３０〜９５％の範囲が好ましく、この範囲から外れると所望のプロファイル形状を得るのが難しくなる。
【００２１】
これに対して前記表面ゴム層１２は、前記内ゴム層１１を覆って保護する被覆層であり、略一定の厚さを有するシート状に形成される。この表面ゴム層１２を形成する外のゴムストリップＰｏとして、図３、４に示すように、横断面において、その両端部分が端に向かって厚さを減じて先細状となる略菱形形状のものが採用される。この外のゴムストリップＰｏは、巾Ｗ１が５〜５０ｍｍの範囲であって、前記内表面Ｓに現れる露出巾Ｗａは、前記巾Ｗ１の５０％〜８０％の範囲に規制される。このように、露出巾Ｗａを巾Ｗ１の５０％以上とすることにより、ゴムストリップＰｏ、Ｐｏ間の界面Ｊが前記内表面Ｓで露出する露出点Ｊｐの形成数を減じることができる。なお前記露出巾Ｗａは、５．０ｍｍ以上であることも好ましく、これを下回ると、曲げ変形時の応力が集中してクラックの抑制が達成できなくなる。又前記露出巾Ｗａが巾Ｗ１の８０％を越えると、ゴムストリップＰｏ、Ｐｏ間の接合が不充分となる。
【００２２】
又前記表面ゴム層１２では、前記外のゴムストリップＰｏのエッジのうちで、内表面Ｓに現れることにより前記露出点Ｊｐとなる露出側端エッジＥ１と、他方の端エッジＥ２とを結ぶ対角線をＸとしたとき、前記サイド補強ゴム１０の内表面プロファイルＹの接線Ｋに対する、前記対角線Ｘの角度θを３０°以下に減じている。
【００２３】
ここで、前記「接線Ｋ」とは、前記露出側端エッジＥ１に相当する内表面プロファイルＹ上の位置Ｙｅにおける内表面プロファイルＹの接線Ｋを意味する。又前記「露出側端エッジＥ１に相当する内表面プロファイルＹ上の位置Ｙｅ」とは、露出側端エッジＥ１を通って前記内表面プロファイルＹと直交する直交線が、前記内表面プロファイルＹと交わる点を意味する。又前記「内表面プロファイルＹ」とは、各ゴムストリップＰｏの露出面に接して滑らかに連なる曲線」を意味し、各露出側端エッジＥ１を滑らかに継ぐ曲線Ｙ１とは実質的に平行をなす。
【００２４】
このように、前記対角線Ｘの角度θを３０°以下に減じることにより、外のゴムストリップＰｏ、Ｐｏ間の界面Ｊも内表面プロファイルＹの傾きに近づく。その結果、サイド補強ゴム１０が曲げ変形する際に、前記界面Ｊに作用する剪断応力を減じることができる。しかも、表面ゴム層１２を薄く形成しながらも、界面Ｊの長さが長く確保されるため、ゴムストリップＰｏ、Ｐｏ間の接合強度も高められる。従って、前述の露出点Ｊｐの形成数の減少と相俟って、露出点Ｊｐを起点として前記界面Ｊが剥離するクラック損傷を、効果的に抑制することができる。また内表面Ｓが内表面プロファイルＹに近づくため、前記内表面Ｓと内表面プロファイルＹとの間の隙間、特に前記露出点Ｊｐの位置で生じる断面略三角状の隙間を小に抑えることができる。従って、加硫成型時のゴム流れ不足に起因して、この隙間の位置に傷や凹みが発生し、クラック発生を助長したり外観不良が生じるのを抑制することもできる。
【００２５】
前述の効果のために、前記角度θは２０°以下、さらには１０°以下、さらには５°以下とするのが好ましい。このような生タイヤ１では、加硫成形された既加硫タイヤにおいても前記界面Ｊ及び対角線Ｘは、ある程度識別でき、又この対角線Ｘが、既加硫タイヤのタイヤ内腔面の接線となす角度も、前記角度θの範囲に維持することができる。
【００２６】
なお表面ゴム層１２をなす前記外のゴムストリップＰｏのうちの少なくとも８０％以上、好ましくは９０％以上のゴムストリップＰｏにおいて、前記露出巾Ｗａの範囲、及び角度θの範囲を充足することが必要である。
【００２７】
又前記外のゴムストリップＰｏでは  その最大厚さＴ１max が０．３〜５．０ｍｍであることが好ましい。０．３ｍｍ未満では、外のゴムストリップＰｏ自体の強度が過小となって、内ゴム層１１を被覆保護する効果が達成できず、内ゴム層１１におけるゴムストリップＰｉ、Ｐｉ間の界面にクラックが発生する傾向となる。又内ゴム層１１と表面ゴム層１２との間にエアー溜まりが生じやすくなる。逆に５．０ｍｍを越えると、サイド補強ゴム１０が過度に厚肉化し、乗り心地性の低下、及び重量増加による転がり抵抗性の低下を招く。このような観点から、前記最大厚さＴ１max の上限は３．０ｍｍ以下、下限は１．０ｍｍ以上であるのが好ましい。
【００２８】
又表面ゴム層１２における前記外のゴムストリップＰｏの巻回数ｎは、次式（１）を充足することが好ましい。但し、符号Ｗ２は、前記表面ゴム層１２の前記内表面Ｓに沿った半径方向の長さである。
ｎ≦２．０×（Ｗ２／Ｗ１）  −−−−（１）
前記巻回数ｎが比（Ｗ２／Ｗ１）の２．０倍を超えると、露出点Ｊｐの形成数が増し、クラック抑制に不利となる。しかし巻回数ｎが過小となると、外のゴムストリップＰｏ、Ｐｏ間の接合が不充分となり、又時にゴムストリップＰｏ、Ｐｏ間に隙間が生じるなど、巻き付け作業性を損ねる傾向となる。従って、前記巻回数ｎの上限は、前記比（Ｗ２／Ｗ１）の１．８倍以下、さらには１．６倍以下が好ましく、又下限は、１．２倍以上、さらには１．４倍以上が好ましい。
【００２９】
又、クラック抑制効果をさらに高めるために、図５（Ａ）に拡大して示すように、前記界面Ｊと、前記露出側端エッジＥ１からタイヤ内側に１．０ｍｍの距離を隔てて前記内表面プロファイルＹに平行な仮想基準線Ｙｘとが交わる交点をＱとしたとき、前記露出側端エッジＥ１と前記交点Ｑとを結ぶ直線Ｚは、前記内表面プロファイルＹの接線Ｋに対する角度αを３０°以下に設定される。なお前記「接線Ｋ」は、前述の如く、前記露出側端エッジＥ１に相当する内表面プロファイルＹ上の位置Ｙｅにおける内表面プロファイルＹの接線Ｋを意味する。
【００３０】
この角度αを３０°以下に減じることにより、サイド補強ゴム１０が曲げ変形する際に、露出側端エッジＥ１において界面Ｊに作用する剪断応力をさらに減じることができ、前記界面Ｊが剥離するクラック損傷をより効果的に抑制しうる。特に、図５（Ｂ）に示すように、前記界面Ｊは、前記直線Ｚを越えて、前記角度αが増加する向きには突出しないことが好ましく、これにより前記界面Ｊに作用する剪断応力をさらに減じることができる。
【００３１】
以上、本発明の特に好ましい実施形態について詳述したが、本発明は図示の実施形態に限定されることなく、種々の態様に変形して実施しうる。
【実施例】
【００３２】
図１に示す構造をなし、かつ表１の仕様の生タイヤを用いて、タイヤサイズ２４５／４０Ｒ１８のランフラットタイヤを試作した。そして各試供タイヤに対して、ランフラット耐久テストを行い、その結果を同表１に記載した。各タイヤともに、表１に記載以外は同仕様である。
【００３３】
＜ランフラット耐久性＞
各供試タイヤを、バルブコアを取り去ったリム（１８×８．５ＪＪ）にリム組し、デフレート状態でドラム試験機上を速度（８０ｋｍ／ｈ）、縦荷重（４．１４ｋＮ：正規荷重の６５％の荷重）、室温（３８±２℃）の条件にて、タイヤが破壊するまでの走行距離を測定した。結果は比較例１を１００とする指数により表示しており、数値が大きいほどランフラット耐久性に優れている。
【００３４】
【表１】
2008162137.tif 000003
【図面の簡単な説明】
【００３５】
【図１】本発明の生タイヤの一実施例を示す断面図である。
【図２】サイド補強ゴムの内ゴム層を示す断面図である。
【図３】サイド補強ゴムの表面ゴム層を示す断面図である。
【図４】（Ａ）、（Ｂ）は、表面ゴム層をさらに拡大して示す断面図である。
【図５】（Ａ）、（Ｂ）は、外のゴムストリップ間の界面をさらに拡大して示す断面図である。
【符号の説明】
【００３６】
２      トレッド部
３      サイドウォール部
４      ビード部
５      ビードコア
６      カーカス
１０    サイド補強ゴム
１１    内ゴム層
１２    表面ゴム層
Ｅ１    露出側端エッジ
Ｅ２    他方の端エッジ
ｉタイヤ内腔
Ｊ      界面
Ｋ      接線
Ｐｏ    外のゴムストリップ
Ｑ      交点
Ｓ      内表面
ＴＳ    タイヤ内腔面
Ｘ      対角線
Ｙ      外表面プロファイル
Ｙｘ    仮想基準線
Ｚ      直線
【図１】
2008162137.tif 000004
【図２】
2008162137.tif 000005
【図３】
2008162137.tif 000006
【図４】
2008162137.tif 000007
【図５】
2008162137.tif 000008